(57)【要約】本発明は、デジタルテレビジョン放送及び／又はラジオ放送の受信のために必要とされる簡単なプログラミングを可能とするデジタル放送受信装置を提供する。  本発明に係るデジタル放送受信装置は、デジタル放送を受信するデジタル放送受信装置であって、デジタル放送を受信する放送受信手段と、受信された前記デジタル放送からサービス記述テーブルを抽出する抽出手段と、抽出された前記サービス記述テーブルからトランスポートストリーム識別情報とネットワーク識別情報とサービス識別情報とをストリーム特定情報として特定する特定手段と、特定された前記ストリーム特定情報と録画命令とを録画装置に送信する送信手段とを備える。
2007026662.tif 000002
【特許請求の範囲】
【請求項１】
デジタル放送を受信するデジタル放送受信装置であって、
デジタル放送を受信する放送受信手段と、
受信された前記デジタル放送からサービス記述テーブルを抽出する抽出手段と、
抽出された前記サービス記述テーブルからトランスポートストリーム識別情報とネットワーク識別情報とサービス識別情報とをストリーム特定情報として特定する特定手段と、
特定された前記ストリーム特定情報と録画命令とを録画装置に送信する送信手段と
を備えることを特徴とするデジタル放送受信装置。
【請求項２】
前記デジタル放送受信装置は、さらに、前記トランスポートストリーム識別情報と前記ネットワーク識別情報と前記サービス識別情報とをプリセット識別情報と対応付けた表であるプリセット対応表を記憶する記憶手段を備え、
前記送信手段は、前記ストリーム特定情報に代えて、記憶された前記プリセット対応表と前記プリセット識別情報とを送信する
ことを特徴とする請求項１に記載のデジタル放送受信装置。
【請求項３】
前記送信手段は、前記ストリーム特定情報を選局命令の引数として送信した後、現在選局しているサービスをそのまま録画する旨の前記録画命令を送信する
ことを特徴とする請求項１に記載のデジタル放送受信装置。
【請求項４】
前記送信手段は、前記ストリーム特定情報を前記録画命令の引数として送信する
ことを特徴とする請求項１に記載のデジタル放送受信装置。
【請求項５】
前記特定手段は、前記ストリーム特定情報として、当該デジタル放送受信装置において視聴中のサービスに相当する情報を特定する
ことを特徴とする請求項１に記載のデジタル放送受信装置。
【請求項６】
前記特定手段は、前記ストリーム特定情報として、録画予約対象のサービスに相当する情報を特定する
ことを特徴とする請求項１に記載のデジタル放送受信装置。
【請求項７】
デジタル放送を受信するデジタル放送受信方法であって、
デジタル放送を受信する受信ステップと、
受信された前記デジタル放送からサービス記述テーブルを抽出する抽出ステップと、
抽出された前記サービス記述テーブルからトランスポートストリーム識別情報とネットワーク識別情報とサービス識別情報とをストリーム特定情報として特定する特定ステップと、
特定された前記ストリーム特定情報と録画命令とを録画装置に送信する送信ステップと
を含むことを特徴とするデジタル放送受信方法。
【請求項８】
デジタル放送を受信するデジタル放送受信装置と、デジタル放送を録画する録画装置とがネットワークを介して接続されたデジタル放送受信システムであって、
前記デジタル放送受信装置は、
デジタル放送を受信する放送受信手段と、
受信された前記デジタル放送からサービス記述テーブルを抽出する抽出手段と、
抽出された前記サービス記述テーブルからトランスポートストリーム識別情報とネットワーク識別情報とサービス識別情報とをストリーム特定情報として特定する特定手段と、
特定された前記ストリーム特定情報と録画命令とを前記録画装置に送信する送信手段と
を備え、
前記録画装置は、
前記ストリーム特定情報と前記録画命令とを受信する受信手段と、
受信された前記ストリーム特定情報に基づいてサービスを選局する選局手段と、
受信された前記録画命令に基づいて、選局された前記サービスを記録する記録手段と
を備える
ことを特徴とするデジタル放送受信システム。
【発明の詳細な説明】
【技術分野】
【０００１】  本発明は、テレビジョン放送及び／又はラジオ放送の受信に必要な同調データ（チャネル、周波数等）を用いてＡＶ機器をプログラミングするための技術に関する。
【背景技術】
【０００２】  例えば、特許文献１には、オーデイオ機器またはビデオ機器のプログラミング方法が開示されている。このプログラミング方法では、既にプログラミングされているＡＶ機器のプログラムメモリから、同調データとプログラム番号又はプログラム識別子との対応付け情報を読み出す。ここでいう同調データとは、テレビジョン放送及び／又はラジオ放送の受信に必要な同調データであって、具体的にはチャネルや周波数等である。このように読み出された対応付け情報は、既にプログラミングされているＡＶ機器からプログラミングすべきＡＶ機器へ無線または有線を通じて伝送される。伝送された情報は、プログラミングすべきＡＶ機器のプログラムメモリに記憶される。【０００３】  特許文献１に開示される技術によると、使用者は、同調データを用いてＡＶ機器を簡単にプログラミングすることが可能となる。例えば、ラジオまたはテレビジョンとビデオレコーダとで、プログラム番号と周波数またはチャネルとの割り当てが異なる場合がある。この場合は、録画や録画予約の指示において誤操作が発生することがある。しかし、特許文献１に開示される技術を用いれば、それぞれのプログラム番号と周波数またはチャネルとの割り当てを合わせることができるので、上記した誤操作を防ぐことが可能となる。【０００４】  また、非特許文献１の仕様書には、特許文献１に開示されるプログラム番号と周波数またはチャネルとの割り当てを合わせるフィーチャー（Ｐｒｅｓｅｔ  Ｄｏｗｎｌｏａｄ）に加えて、今テレビジョンで見ている番組のプログラム番号を指定して録画装置に録画を要求するフィーチャー（Ｏｎｅ  Ｔｏｕｃｈ  Ｒｅｃｏｒｄ）が記載されている。すなわち、Ｐｒｅｓｅｔ  Ｄｏｗｎｌｏａｄによって、プログラム番号と周波数またはチャネルとの割り当てが合っている状態にする。この状態で、録画して欲しい番組のプログラム番号を指定する。これによって、使用者は、テレビジョン（以下「ＴＶ」という場合がある）と同じＣｈ（プログラム番号）に合わせる操作や、録画ボタンを押すといった操作を録画装置に対して行なう必要なくなるという効果がある。
【特許文献１】特許２７５８１７４号公報
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．１（Ｍａｙ  ２０，２００４）
【発明の開示】
【発明が解決しようとする課題】
【０００５】  しかしながら、特許文献１に開示される技術は、従来の周波数やチャネル番号に基づくアナログ放送に対する技術である。すなわち、ＭＰＥＧ２−ＴＳなどの技術を用いた衛星・地上波デジタル放送に対しては、特許文献１に開示される技術のみでは、プログラム内容を表現できず、簡単なプログラミングを実現することができないという問題点がある。例えば、特許文献１に開示される技術のみでは、非特許文献１に開示されるＯｎｅ  Ｔｏｕｃｈ  Ｐｌａｙのようなフィーチャーを実現することはできない。【０００６】  本発明は、このような問題点を鑑みてなされたものであって、デジタルテレビジョン放送及び／又はラジオ放送の受信のために必要とされる簡単なプログラミングを可能とするデジタル放送受信装置を提供することを目的とする。
【課題を解決するための手段】
【０００７】  上記課題を解決し上記目的を達成するために、本発明に係るデジタル放送受信装置は、デジタル放送を受信するデジタル放送受信装置であって、デジタル放送を受信する放送受信手段と、受信された前記デジタル放送からサービス記述テーブルを抽出する抽出手段と、抽出された前記サービス記述テーブルからトランスポートストリーム識別情報とネットワーク識別情報とサービス識別情報とをストリーム特定情報として特定する特定手段と、特定された前記ストリーム特定情報と録画命令とを録画装置に送信する送信手段とを備える。これによって、ストリーム特定情報と録画命令とがデジタル放送受信装置から録画装置に送信され、デジタルテレビジョン放送及び／又はラジオ放送の受信のために必要とされる簡単なプログラミングが可能となる。【０００８】  ここで、前記デジタル放送受信装置は、さらに、前記トランスポートストリーム識別情報と前記ネットワーク識別情報と前記サービス識別情報とをプリセット識別情報と対応付けた表であるプリセット対応表を記憶する記憶手段を備え、前記送信手段は、前記ストリーム特定情報に代えて、記憶された前記プリセット対応表と前記プリセット識別情報とを送信してもよい。これによって、録画装置は、プリセット識別情報に基づいてプリセット対応表を参照すれば、トランスポートストリーム識別情報とネットワーク識別情報とサービス識別情報とを特定することができる。【０００９】  また、前記送信手段は、前記ストリーム特定情報を選局命令の引数として送信した後、現在選局しているサービスをそのまま録画する旨の前記録画命令を送信してもよい。これによって、ストリーム特定情報がデジタル放送受信装置から録画装置に送信されるので、プリセット対応表をデジタル放送受信装置から録画装置に送信する必要がなくなる。【００１０】  また、前記送信手段は、前記ストリーム特定情報を前記録画命令の引数として送信してもよい。これによって、ストリーム特定情報がデジタル放送受信装置から録画装置に送信されるので、プリセット対応表をデジタル放送受信装置から録画装置に送信する必要がなくなる。【００１１】  また、前記特定手段は、前記ストリーム特定情報として、当該デジタル放送受信装置において視聴中のサービスに相当する情報を特定してもよい。これによって、デジタル放送受信装置で現在視聴中の番組を録画装置に録画させること（「Ｏｎｅ  Ｔｏｕｃｈ  Ｒｅｃｏｒｄ」を指示すること）が可能となる。【００１２】  また、前記特定手段は、前記ストリーム特定情報として、録画予約対象のサービスに相当する情報を特定してもよい。これによって、デジタル放送受信装置から録画装置に「録画予約」を指示することが可能となる。【００１３】  なお、本発明は、このようなデジタル放送受信装置として実現することができるだけでなく、このようなデジタル放送受信装置が備える特徴的な手段をステップとするデジタル放送受信方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１４】  以上のように、本発明によれば、デジタルテレビジョン放送及び／又はラジオ放送の受信のために必要とされる簡単なプログラミングが可能となる。たとえば、現在視聴中のＣｈ（サービス）を指すＭＰＥＧ２−ＴＳのＳＩ中の３つのＩＤ（Ｏｒｉｇｉｎａｌ＿Ｎｅｔｗｏｒｋ＿ＩＤ、ＴＳ＿ＩＤ、Ｓｅｒｖｉｃｅ＿ＩＤ）がＴＶからＤＶＤレコーダに送信され、その直後に録画命令がＴＶからＤＶＤレコーダに送信される。これによって、ＤＶＤレコーダに対して直接操作することなくＴＶのリモコンを操作するのみで、ＴＶで現在視聴中の番組をＤＶＤレコーダに録画させることが可能となる。言い換えると、デジタル放送に対して簡単なプログラミングやＯｎｅ  Ｔｏｕｃｈ  Ｒｅｃｏｒｄのようなフィーチャーを実現することが可能となる。また、デジタル放送においても各機器のプリセット番号と実際に見る／録画するＣｈとの対応を正しく取ることができるという効果もある。
【図面の簡単な説明】
【００１５】
【図１】図１は、ＤＶＤレコーダとＴＶの構成の一例を示す図である。
【図２】図２は、デジタル放送で用いられるＭＰＥＧ２−ＴＳ中のＳＤＴの例を示す図である。
【図３】図３は、実施の形態１におけるプリセット対応表の例を示す図である。
【図４】図４は、実施の形態１におけるＤＶＤレコーダとＴＶとの間のコマンドシーケンスの例を示す図である。
【図５】図５は、実施の形態２におけるＤＶＤレコーダとＴＶとの間のコマンドシーケンスの例を示す図である。
【図６】図６は、実施の形態３におけるＤＶＤレコーダとＴＶとの間のコマンドシーケンスの例を示す図である。
【図７】図７は、実施の形態４におけるＤＶＤレコーダとＴＶとの間のコマンドシーケンスの例を示す図である。
【図８】図８は、実施の形態５におけるＤＶＤレコーダとＴＶとの間のコマンドシーケンスの例を示す図である。
【図９】図９は、実施の形態６におけるＤＶＤレコーダとＴＶとの間のコマンドシーケンスの例を示す図である。
【符号の説明】
【００１６】１０１  ＤＶＤレコーダ
１０２  制御部
１０３  チューナ
１０４  ＴＳデコーダ
１０５  記録再生部
１０６  ＡＶデコーダ
１０７  ユーザ操作部
１０９  データ出力Ｉ／Ｆ
１１０  コマンド入出力Ｉ／Ｆ
１１１  ＤＶＤ−ＲＡＭディスク
１１２  データ処理部
１２１  アンテナ
４０１  データ用ケーブル
４０２  コマンド用ケーブル
２０１  ＴＶ
２０２  チューナ
２０３  ＴＳデコーダ
２０４  ＡＶデコーダ
２０５  制御部
２０６  メモリ
２０７  データ処理部
２０８  ユーザ操作部
２０９  データ入力Ｉ／Ｆ
２１０  コマンド入出力Ｉ／Ｆ
２１１  画面
２１２  スピーカ
【発明を実施するための最良の形態】
【００１７】  以下に、本発明の実施の形態を、図面を参照して説明する。【００１８】（実施の形態１）
以下、本発明の実施の形態１について、図１、図２、図３を用いて説明する。【００１９】  図１は、ＤＶＤレコーダ１０１とＴＶ２０１の構成の一例を示す図である。図１に示されるように、ＤＶＤレコーダ１０１は、制御部１０２と、チューナ１０３と、ＴＳデコーダ１０４と、記録再生部１０５と、ＡＶデコーダ１０６と、ユーザ操作部１０７と、メモリ１０８と、データ出力Ｉ／Ｆ１０９と、コマンド入出力Ｉ／Ｆ１１０と、ＤＶＤ−ＲＡＭディスク１１１と、データ処理部１１２と、アンテナ１２１とを備えている。ＴＶ２０１は、チューナ２０２と、ＴＳデコーダ２０３と、ＡＶデコーダ２０４と、制御部２０５と、メモリ２０６と、データ処理部２０７と、ユーザ操作部２０８と、データ入力Ｉ／Ｆ２０９と、コマンド入出力Ｉ／Ｆ２１０と、画面２１１と、スピーカ２１２とを備えている。ＤＶＤレコーダ１０１のコマンド入出力Ｉ／Ｆ１１０とＴＶ２０１のコマンド入出力Ｉ／Ｆ２１０とはコマンド用ケーブル４０２によって接続されている。ＤＶＤレコーダ１０１のデータ出力Ｉ／Ｆ１０９とＴＶ２０１のデータ入力Ｉ／Ｆ２０９とはデータ用ケーブル４０１によって接続されている。【００２０】  以降、同一番号がついたものは同一の構成および機能をもつものとする。【００２１】  ＴＶ２０１は、本発明に係るデジタル放送受信装置の一例であり、ＤＶＤレコーダ１０１は、本発明に係る録画装置の一例である。ＴＶ２０１およびＤＶＤレコーダ１０１は、それぞれアンテナ１２１とチューナ１０３および２０２とによってデジタル放送データを受信する。受信・復調されたデジタル放送データはＭＰＥＧ２−ＴＳの形式となり、ＴＳデコーダ１０４および２０３に送られる。【００２２】  図２は、デジタル放送で用いられるＭＰＥＧ２−ＴＳ（Ｍｏｖｉｎｇ  Ｐｉｃｔｕｒｅ  Ｅｘｐｅｒｔｓ  Ｇｒｏｕｐ  ２−Ｔｒａｎｓｐｏｒｔ  Ｓｔｒｅａｍ）中のＳＤＴ（Ｓｅｒｖｉｃｅ  Ｄｅｓｃｒｉｐｔｉｏｎ  Ｔａｂｌｅ）の例を示す図である。【００２３】  ＳＤＴの構造そのもの、ＰＡＴ（Ｐｒｏｇｒａｍ  Ａｓｓｏｃｉａｔｉｏｎ  Ｔａｂｌｅ）やＰＭＴ（Ｐｒｏｇｒａｍ  Ｍａｐ  Ｔａｂｌｅ）中の情報を用いてＭＰＥＧ２−ＴＳからＳＤＴを発見する方法、ＳＤＴ中の内容を解析する方法そのものは公知である。すなわち、すでに欧州や日本のデジタルＴＶにおいて規格化され、対応するＴＳデコーダ回路・ＬＳＩ・ソフトウェアなどが存在する。【００２４】  本実施の形態では、ＴＶ２０１のＴＳデコーダ２０３によってＳＤＴが抽出される。これによって、画面２１１およびユーザ操作部２０８を通じて、サービス（アナログ放送におけるＣｈ一覧に相当）情報やＥＰＧなどの一覧を使用者に提示することができる。使用者がユーザ操作部２０８を通じてサービスを選択すると、そのサービスに対応するデジタルＡＶデータがＴＳデコーダ２０３によって抽出される。抽出されたデジタルＡＶデータは、ＡＶデコーダ２０４によって映像・音声にデコードされ、画面２１１・スピーカ２１２から出力される。ＤＶＤレコーダ１０１のＴＳデコーダ１０４においても同様の処理が行われる。【００２５】  図３は、実施の形態１におけるプリセット対応表の例を示す図である。ＴＶ２０１の制御部２０５は、ＥＰＧなどのサービス一覧を画面２１１に表示するため、ＴＳデコーダ２０３から得られるＳＤＴ情報を元にプリセット対応表を作成してメモリ２０６に保持する。プリセット対応表は、図３に示されるように、「プリセット番号（プリセット識別情報）」と「ＴＳ＿ＩＤ」と「ネットワークＩＤ」と「サービスＩＤ」とを対応付けた表である。すなわち、ＴＶ２０１の制御部２０５は、ＳＤＴ中の「トランスポートストリーム識別」情報を「ＴＳ＿ＩＤ」として、ＳＤＴ中の「オリジナルネットワーク識別」情報を「ネットワークＩＤ」として、ＳＤＴ中の「サービス識別」情報を「サービスＩＤ」として、対応するサービス（Ｃｈ）番号とともにメモリ２０６に保持する。【００２６】  ＤＶＤレコーダ１０１をＴＶ２０１に接続すると、ＴＶ２０１とＤＶＤレコーダ１０１とは、コマンド用ケーブル４０２を通じて機器の情報を交換する。ＴＶ２０１の制御部２０５は、プリセット対応表を送信すべきか否かを判断する。プリセット対応表を送信すべきか否かは、コマンド用ケーブル４０２を通じて交換したバージョン情報や、ユーザ操作部２０８からのユーザ操作内容に基づいて判断することができる。【００２７】  制御部２０５がプリセット対応表を送信する場合は、メモリ２０６に保持されたプリセット対応表（図３参照）が読み出される。読み出されたプリセット対応表は、予め決められたメッセージ形式にてコマンド入力Ｉ／Ｆ２１０からコマンド用ケーブル４０２を通じて送信される。本発明の内容はメッセージの形式には依らない。たとえば、プリセット対応表は、表の形式ではなく文字列形式で送信されてもよいし、所定のビット列に変換されたうえで送信されてもよい。また、図３に示される項目以外の情報（サービスの詳細を示す文字列など）をプリセット対応表に含めて送信するようにしてもよい。【００２８】  ＤＶＤレコーダ１０１の制御部１０２は、プリセット対応表に関するメッセージをコマンド入力Ｉ／Ｆ１１０から受け取ると、メモリ２０６に保持されているのと同様の形式でそのプリセット対応表をメモリ１０８に保持する。この後、メモリ１０８に保持されたプリセット対応表は、ユーザ操作部１０７に提供するＥＰＧ情報として用いることができる。すなわち、ＤＶＤレコーダ１０１はＴＶ２０１と同様の内容のＥＰＧを生成することが可能となる。【００２９】  図４は、実施の形態１におけるＤＶＤレコーダ１０１とＴＶ２０１との間のコマンドシーケンスの例を示す図である。【００３０】  ＴＶ２０１は、デジタル放送のあるサービス（ここではＣｈ．１０８）を受信して画面２１１に出力している。このとき、ユーザがリモコンの「Ｏｎｅ  Ｔｏｕｃｈ  Ｒｅｃｏｒｄ」ボタンを押すと、その旨がユーザ操作部２０８から制御部２０５に通知される。制御部２０５は、現在視聴しているサービスを指定するメッセージをコマンド入力Ｉ／Ｆ２１０を介してＤＶＤレコーダ１０１に送信する（Ｓｔｅｐ２０４１）。現在視聴しているサービスを指定するメッセージとは、本実施の形態では、「プリセット番号」を引数とする＜Ｐｒｅｓｅｔ  Ｄｉｇｉｔａｌ  Ｔｕｎｅｒ＞というメッセージである。このメッセージは、プリセット対応表を送信するためのメッセージであり、引数で表現されるサービスを選局するようにＤＶＤレコーダ１０１に指示するメッセージである。【００３１】  ＤＶＤレコーダ１０１の制御部１０２は、＜Ｐｒｅｓｅｔ  Ｄｉｇｉｔａｌ  Ｔｕｎｅｒ＞メッセージをコマンド入力Ｉ／Ｆ１１０から受け取ると、プリセット対応表をメモリ１０８に保持する。そして、プリセット対応表を参照することによって、受け取ったメッセージの引数である「プリセット番号」に対応する「ＴＳ＿ＩＤ」「ネットワークＩＤ」「サービスＩＤ」を特定する。そして、ユーザ操作部１０７のＥＰＧで選択されたサービスと同様、特定した「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。【００３２】  この直後、ＴＶ２０１の制御部２０５は、〈Ｒｅｃｏｒｄ  Ｏｎ〉［Ｏｗｎ  Ｓｏｕｒｃｅ］というメッセージをコマンド入力Ｉ／Ｆ２１０を通してＤＶＤレコーダ１０１に送信する（Ｓｔｅｐ２０４２）。このメッセージは、非特許文献１に開示されているもので、ＤＶＤレコーダ１０１が現在選局している入力またはサービスをそのまま記録するように指示するものである。【００３３】  ＤＶＤレコーダ１０１の制御部１０２は、〈Ｒｅｃｏｒｄ  Ｏｎ〉［Ｏｗｎ  Ｓｏｕｒｃｅ］というメッセージをコマンド入力Ｉ／Ｆ１１０から受け取ると、記録再生部１０５に記録を指示する。これによって、記録再生部１０５が記録を開始すると（Ｓｔｅｐ２０１３）、〈Ｒｅｃｏｒｄ  Ｏｎ〉［Ｏｗｎ  Ｓｏｕｒｃｅ］というメッセージの指示内容である「現在選局している入力またはサービスをそのまま記録する」ことが実現されることになる。【００３４】  以上のように、本実施の形態１によれば、デジタルテレビジョン放局及び／又はラジオ放送の受信のために必要とされる簡単なプログラミングが可能となる。すなわち、現在視聴中のＣｈ（サービス）を指すＭＰＥＧ２−ＴＳのＳＩ中の３つのＩＤ（Ｏｒｉｇｉｎａｌ＿Ｎｅｔｗｏｒｋ＿ＩＤ、ＴＳ＿ＩＤ、Ｓｅｒｖｉｃｅ＿ＩＤ）がＴＶ２０１からＤＶＤレコーダ１０１に送信され、その直後に録画命令がＴＶ２０１からＤＶＤレコーダ１０１に送信される。これによって、ＤＶＤレコーダ１０１に対して直接操作することなくＴＶ２０１のリモコンを操作するのみで、ＴＶ２０１で現在視聴中の番組をＤＶＤレコーダ１０１に録画させることが可能となる。言い換えると、デジタル放送に対して簡単なプログラミングやＯｎｅ  Ｔｏｕｃｈ  Ｐｌａｙのようなフィーチャーを実現することが可能となる。また、デジタル放送においても各機器のプリセット番号と実際に見る／録画するＣｈとの対応を正しく取ることができるという効果もある。【００３５】  なお、ここでは、「プリセット番号」を引数とする＜Ｐｒｅｓｅｔ  Ｄｉｇｉｔａｌ  Ｔｕｎｅｒ＞というメッセージを例に挙げたが、メッセージの形式は本実施の形態に挙げたものにとどまらない。すなわち、プリセット対応表を送信するためのメッセージであり、引数で表現されるサービスを選局するようにＤＶＤレコーダ１０１に指示するメッセージであれば、同様の効果を得る��とができる。【００３６】  なお、ここでは、〈Ｒｅｃｏｒｄ  Ｏｎ〉［Ｏｗｎ  Ｓｏｕｒｃｅ］というメッセージを例に挙げたが、メッセージの形式は本実施の形態に挙げたものにとどまらない。すなわち、ＤＶＤレコーダ１０１が現在選局している入力またはサービスをそのまま記録するように指示するメッセージであれば、同様の効果を得ることができる。【００３７】  なお、非特許文献１に記載の〈Ｒｅｃｏｒｄ  Ｏｎ〉［Ｏｗｎ  Ｓｏｕｒｃｅ］というメッセージを例に挙げたが、本発明は、非特許文献１に記載のＨＤＭＩインターフェースに特化するものではない。すなわち、コマンド入出力を行う系を通じてデジタルチューナの選局を指定し、直後に録画開始を指示することができれば、ＨＤＭＩインターフェースを備えていなくても実現可能である。【００３８】（実施の形態２）
実施の形態１では、二つのメッセージをＴＶ２０１からＤＶＤレコーダ１０１に送信する形態について説明したが、本実施の形態２では、この二つのメッセージを一括してＴＶ２０１からＤＶＤレコーダ１０１に送信する形態について説明する。【００３９】  図５は、実施の形態２におけるＤＶＤレコーダ１０１とＴＶ２０１との間のコマンドシーケンスの例を示す図である。装置の構成は実施の形態１と同じ図１を用いる。【００４０】  ＴＶ２０１は、デジタル放送のあるサービス（ここではＣｈ．１０８）を受信して画面２１１に出力している。このとき、ユーザがリモコンの「Ｏｎｅ  Ｔｏｕｃｈ  Ｒｅｃｏｒｄ」ボタンを押すと、その旨がユーザ操作部２０８から制御部２０５に通知される。制御部２０５は、現在視聴しているサービスを指定するメッセージをコマンド入力Ｉ／Ｆ２１０を介してＤＶＤレコーダ１０１に送信する（Ｓｔｅｐ２０５１）。現在視聴しているサービスを指定するメッセージとは、本実施の形態では、「プリセット番号」を引数とする〈Ｒｅｃｏｒｄ  Ｏｎ  Ｅｘ〉というメッセージである。このメッセージは、プリセット対応表を送信するためのメッセージであり、引数で表現されるサービスを選局して記録するようにＤＶＤレコーダ１０１に指示するメッセージである。【００４１】  ＤＶＤレコーダ１０１の制御部１０２は、〈Ｒｅｃｏｒｄ  Ｏｎ  Ｅｘ〉メッセージをコマンド入力Ｉ／Ｆ１１０から受け取ると、プリセット対応表をメモリ１０８に保持する。そして、プリセット対応表を参照することによって、受け取ったメッセージの引数である「プリセット番号」に対応する「ＴＳ＿ＩＤ」「ネットワークＩＤ」「サービスＩＤ」を特定する。そして、ユーザ操作部１０７のＥＰＧで選択されたサービスと同様、特定した「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。ＤＶＤレコーダ１０１の制御部１０２は、さらに、記録再生部１０５に記録を指示する。記録再生部１０５が記録を開始すると（Ｓｔｅｐ２０１３）、〈Ｒｅｃｏｒｄ  Ｏｎ  Ｅｘ〉メッセージの指示内容である「引数で表現されるサービスを選局して記録する」ことが実現されることになる。【００４２】  以上のように、本実施の形態２によれば、「プリセット番号」を引数とする〈Ｒｅｃｏｒｄ  Ｏｎ  Ｅｘ〉というメッセージによって、実施の形態１と同様の効果を得ることができる。すなわち、実施の形態１では、二つのメッセージをＴＶ２０１からＤＶＤレコーダ１０１に送信するが、本実施の形態２では、この二つのメッセージを一括してＴＶ２０１からＤＶＤレコーダ１０１に送信することが可能である。【００４３】  なお、ここでは、「プリセット番号」を引数とする〈Ｒｅｃｏｒｄ  Ｏｎ  Ｅｘ〉というメッセージを例に挙げたが、メッセージの形式は本実施の形態に挙げたものにとどまらない。すなわち、プリセット対応表を送信するためのメッセージであり、引数で表現されるサービスを選局して記録するようにＤＶＤレコーダ１０１に指示するメッセージであれば、同様の効果を得ることができる。��００４４】（実施の形態３）
実施の形態１では、ＴＶ２０１からＤＶＤレコーダ１０１にプリセット対応表を送信する形態について説明したが、本実施の形態３では、ＴＶ２０１からＤＶＤレコーダ１０１にプリセット対応表を送信しない形態について説明する。【００４５】  図６は、実施の形態３におけるＤＶＤレコーダ１０１とＴＶ２０１との間のコマンドシーケンスの例を示す図である。装置の構成は実施の形態１と同じ図１を用いる。【００４６】  ＴＶ２０１は、デジタル放送のあるサービス（ここではＣｈ．１０８）を受信して画面２１１に出力している。このとき、ユーザがリモコンの「Ｏｎｅ  Ｔｏｕｃｈ  Ｒｅｃｏｒｄ」ボタンを押すと、その旨がユーザ操作部２０８から制御部２０５に通知される。制御部２０５は、現在視聴しているサービスを指定するメッセージをコマンド入力Ｉ／Ｆ２１０を介してＤＶＤレコーダ１０１に送信する（Ｓｔｅｐ２０２１）。現在視聴しているサービスを指定するメッセージとは、本実施の形態では、「ＴＳ＿ＩＤ」「ネットワークＩＤ」「サービスＩＤ」を引数とする＜Ｓｅｔ  Ｄｉｇｉｔａｌ  Ｔｕｎｅｒ＞というメッセージである。【００４７】  ＤＶＤレコーダ１０１の制御部１０２は、＜Ｓｅｔ  Ｄｉｇｉｔａｌ  Ｔｕｎｅｒ＞メッセージをコマンド入力Ｉ／Ｆ１１０から受け取る。そして、ユーザ操作部１０７のＥＰＧで選択されたサービスと同様、受け取ったメッセージの引数である「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。【００４８】  この直後、ＴＶ２０１の制御部２０５は、〈Ｒｅｃｏｒｄ  Ｏｎ〉［Ｏｗｎ  Ｓｏｕｒｃｅ］というメッセージをコマンド入力Ｉ／Ｆ２１０を通してＤＶＤレコーダ１０１に送信する（Ｓｔｅｐ２０２２）。このメッセージは、非特許文献１に開示されているもので、ＤＶＤレコーダ１０１が現在選局している入力またはサービスをそのまま記録するように指示するものである。【００４９】  ＤＶＤレコーダ１０１の制御部１０２は、〈Ｒｅｃｏｒｄ  Ｏｎ〉［Ｏｗｎ  Ｓｏｕｒｃｅ］というメッセージをコマンド入力Ｉ／Ｆ１１０から受け取ると、記録再生部１０５に記録を指示する。これによって、記録再生部１０５が記録を開始すると（Ｓｔｅｐ２０１３）、〈Ｒｅｃｏｒｄ  Ｏｎ〉［Ｏｗｎ  Ｓｏｕｒｃｅ］というメッセージの指示内容である「現在選局している入力またはサービスをそのまま記録する」ことが実現されることになる。【００５０】  以上のように、本実施の形態３によれば、ＴＶ２０１からＤＶＤレコーダ１０１にプリセット対応表を送信しなくても、実施の形態１と同様の効果を得ることができる。すなわち、前記した二つのメッセージの組み合わせによって、ＴＶ２０１はＤＶＤレコーダ１０１に対して、現在ＴＶ２０１で視聴中の内容をＤＶＤレコーダ１０１のリモコンを操作することなく録画させることができる。【００５１】  なお、ここでは、「ＴＳ＿ＩＤ」「ネットワークＩＤ」「サービスＩＤ」を引数とする＜Ｓｅｔ  Ｄｉｇｉｔａｌ  Ｔｕｎｅｒ＞というメッセージを例に挙げたが、メッセージの形式は本実施の形態に挙げたものにとどまらない。すなわち、「ＴＳ＿ＩＤ」「ネットワークＩＤ」「サービスＩＤ」によって指定されたサービスを選局するようにＤＶＤレコーダ１０１に指示するメッセージであれば、同様の効果を得ることができる。【００５２】  なお、ここでは、〈Ｒｅｃｏｒｄ  Ｏｎ〉［Ｏｗｎ  Ｓｏｕｒｃｅ］というメッセージを例に挙げたが、メッセージの形式は本実施の形態に挙げたものにとどまらない。すなわち、ＤＶＤレコーダ１０１が現在選局している入力またはサービスをそのまま記録するように指示するメッセージであれば、同様の効果を得ることができる。【００５３】（実施の形態４）
実施の形態３では、二つのメッセージをＴＶ２０１からＤＶＤレコーダ１０１に送信する形態について説明したが、本実施の形態４では、この二つのメッセージを一括してＴＶ２０１からＤＶＤレコーダ１０１に送信する形態について説明する。【００５４】  図７は、実施の形態４におけるＤＶＤレコーダ１０１とＴＶ２０１との間のコマンドシーケンスの例を示す図である。装置の構成は実施の形態１と同じ図１を用いる。【００５５】  ＴＶ２０１は、デジタル放送のあるサービス（ここではＣｈ．１０８）を受信して画面２１１に出力している。このとき、ユーザがリモコンの「Ｏｎｅ  Ｔｏｕｃｈ  Ｒｅｃｏｒｄ」ボタンを押すと、その旨がユーザ操作部２０８から制御部２０５に通知される。制御部２０５は、現在視聴しているサービスを指定するメッセージをコマンド入力Ｉ／Ｆ２１０を介してＤＶＤレコーダ１０１に送信する（Ｓｔｅｐ２０３１）。現在視聴しているサービスを指定するメッセージとは、本実施の形態では、「ＴＳ＿ＩＤ」「ネットワークＩＤ」「サービスＩＤ」を引数とする〈Ｒｅｃｏｒｄ  Ｏｎ  Ｅｘ〉というメッセージである。このメッセージは、引数で表現されるサービスを選局して記録するようにＤＶＤレコーダ１０１に指示するメッセージである。【００５６】  ＤＶＤレコーダ１０１の制御部１０２は、〈Ｒｅｃｏｒｄ  Ｏｎ  Ｅｘ〉メッセージをコマンド入力Ｉ／Ｆ１１０から受け取る。そして、ユーザ操作部１０７のＥＰＧで選択されたサービスと同様、受け取ったメッセージの引数である「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。ＤＶＤレコーダ１０１の制御部１０２は、さらに、記録再生部１０５に記録を指示する。記録再生部１０５が記録を開始すると（Ｓｔｅｐ２０１３）、〈Ｒｅｃｏｒｄ  Ｏｎ  Ｅｘ〉メッセージの指示内容である「引数で表現されるサービスを選局して記録する」ことが実現されることになる。【００５７】  以上のように、本実施の形態４によれば、「ＴＳ＿ＩＤ」「ネットワークＩＤ」「サービスＩＤ」を引数とする〈Ｒｅｃｏｒｄ  Ｏｎ  Ｅｘ〉というメッセージによって、実施の形態３と同様の効果を得ることができる。すなわち、実施の形態３では、二つのメッセージをＴＶ２０１からＤＶＤレコーダ１０１に送信するが、本実施の形態４では、この二つのメッセージを一括してＴＶ２０１からＤＶＤレコーダ１０１に送信することが可能である。【００５８】  なお、ここでは、「ＴＳ＿ＩＤ」「ネットワークＩＤ」「サービスＩＤ」を引数とする〈Ｒｅｃｏｒｄ  Ｏｎ  Ｅｘ〉というメッセージを例に挙げたが、メッセージの形式は本実施の形態に挙げたものにとどまらない。すなわち、「ＴＳ＿ＩＤ」「ネットワークＩＤ」「サービスＩＤ」によって指定されたサービスを選局して記録するようにＤＶＤレコーダ１０１に指示するメッセージであれば、同様の効果を得ることができる。【００５９】（実施の形態５）
実施の形態１から４では、「Ｏｎｅ  Ｔｏｕｃｈ  Ｒｅｃｏｒｄ」が指示された場合の動作について説明したが、本実施の形態５では、「録画予約」が指示された場合の動作について説明する。【００６０】  図８は、実施の形態５におけるＤＶＤレコーダ１０１とＴＶ２０１との間のコマンドシーケンスの例を示す図である。装置の構成は実施の形態１と同じ図１を用いる。【００６１】  ＴＶ２０１は、録画予約するためのメニューを画面２１１に出力している。このとき、ユーザが必要な情報を入力した状態で「録画予約」を指示すると、その旨がユーザ操作部２０８から制御部２０５に通知される。制御部２０５は、録画予約されたサービスを指定するメッセージをコマンド入力Ｉ／Ｆ２１０を介してＤＶＤレコーダ１０１に送信する（Ｓｔｅｐ２０６１）。録画予約されたサービスを指定するメッセージとは、本実施の形態では、「ＴＳ＿ＩＤ」「ネットワークＩＤ」「サービスＩＤ」を引数とする＜Ｓｅｔ  Ｄｉｇｉｔａｌ  Ｔｕｎｅｒ＞というメッセージである。【００６２】  ＤＶＤレコーダ１０１の制御部１０２は、＜Ｓｅｔ  Ｄｉｇｉｔａｌ  Ｔｕｎｅｒ＞メッセージをコマンド入力Ｉ／Ｆ１１０から受け取る。そして、ユーザ操作部１０７のＥＰＧで選択されたサービスと同様、受け取ったメッセージの引数である「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。【００６３】  この直後、ＴＶ２０１の制御部２０５は、〈Ｓｅｔ  Ｔｉｍｅｒ〉［Ｏｗｎ  Ｓｏｕｒｃｅ］［予約日時情報］［Ｄｕｒａｔｉｏｎ］というメッセージをコマンド入力Ｉ／Ｆ２１０を通してＤＶＤレコーダ１０１に送信する（Ｓｔｅｐ２０６２）。このメッセージは、ＤＶＤレコーダ１０１が現在選局している入力またはサービスについて録画予約を指示するものである。予約日時情報は、録画を開始する日時を示す情報であり、具体的には「日付」「時間」「分」である。Ｄｕｒａｔｉｏｎは、録画する時間を示す情報であり、具体的には「時間」「分」である。【００６４】  ＤＶＤレコーダ１０１の制御部１０２は、〈Ｓｅｔ  Ｔｉｍｅｒ〉［Ｏｗｎ  Ｓｏｕｒｃｅ］［予約日時情報］［Ｄｕｒａｔｉｏｎ］というメッセージをコマンド入力Ｉ／Ｆ１１０から受け取る。そして、予約日時情報によって示される日時になると、Ｄｕｒａｔｉｏｎによって示される時間の長さ分だけ、記録再生部１０５に記録を指示する。これによって、記録再生部１０５が記録を開始すると（Ｓｔｅｐ２０１３）、〈Ｓｅｔ  Ｔｉｍｅｒ〉［Ｏｗｎ  Ｓｏｕｒｃｅ］［予約日時情報］［Ｄｕｒａｔｉｏｎ］というメッセージの指示内容である録画予約が実現されることになる。【００６５】  以上のように、本実施の形態５によれば、〈Ｓｅｔ  Ｔｉｍｅｒ〉というメッセージによって、ＴＶ２０１からＤＶＤレコーダ１０１に「録画予約」を指示することが可能である。「Ｏｎｅ  Ｔｏｕｃｈ  Ｒｅｃｏｒｄ」であるか「録画予約」であるかという違いはあるものの、３つのＩＤ（Ｏｒｉｇｉｎａｌ＿Ｎｅｔｗｏｒｋ＿ＩＤ、ＴＳ＿ＩＤ、Ｓｅｒｖｉｃｅ＿ＩＤ）と録画命令とがＴＶ２０１からＤＶＤレコーダ１０１に送信される点は実施の形態１から４と同様である。【００６６】  なお、ここでは、〈Ｓｅｔ  Ｔｉｍｅｒ〉というメッセージを例に挙げたが、メッセージの形式は本実施の形態に挙げたものにとどまらない。すなわち、録画予約されたサービスを選局して記録するようにＤＶＤレコーダ１０１に指示するメッセージであれば、同様の効果を得ることができる。【００６７】（実施の形態６）
実施の形態５では、二つのメッセージをＴＶ２０１からＤＶＤレコーダ１０１に送信する形態について説明したが、本実施の形態６では、この二つのメッセージを一括してＴＶ２０１からＤＶＤレコーダ１０１に送信する形態について説明する。【００６８】  図９は、実施の形態６におけるＤＶＤレコーダ１０１とＴＶ２０１との間のコマンドシーケンスの例を示す図である。装置の構成は実施の形態１と同じ図１を用いる。【００６９】  ＴＶ２０１は、録画予約するためのメニューを画面２１１に出力している。このとき、ユーザが必要な情報を入力した状態で「録画予約」を指示すると、その旨がユーザ操作部２０８から制御部２０５に通知される。制御部２０５は、録画予約されたサービスを指定するメッセージをコマンド入力Ｉ／Ｆ２１０を介してＤＶＤレコーダ１０１に送信する（Ｓｔｅｐ２０７１）。録画予約されたサービスを指定するメッセージとは、本実施の形態では、「ＴＳ＿ＩＤ」「ネットワークＩＤ」「サービスＩＤ」［予約日時情報］［Ｄｕｒａｔｉｏｎ］を引数とする〈Ｓｅｔ  Ｔｉｍｅｒ  Ｅｘ〉というメッセージである。このメッセージは、引数で表現されるサービスを選局して録画予約を指示するメッセージである。【００７０】  ＤＶＤレコーダ１０１の制御部１０２は、〈Ｓｅｔ  Ｔｉｍｅｒ  Ｅｘ〉「ＴＳ＿ＩＤ」「ネットワークＩＤ」「サービスＩＤ」［予約日時情報］［Ｄｕｒａｔｉｏｎ］というメッセージをコマンド入力Ｉ／Ｆ１１０から受け取る。そして、予約日時情報によって示される日時になると、Ｄｕｒａｔｉｏｎによって示される時間の長さ分だけ、受け取ったメッセージの引数である「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。ＤＶＤレコーダ１０１の制御部１０２は、さらに、記録再生部１０５に記録を指示する。記録再生部１０５が記録を開始すると（Ｓｔｅｐ２０１３）、〈Ｓｅｔ  Ｔｉｍｅｒ  Ｅｘ〉メッセージの指示内容である録画予約が実現されることになる。【００７１】  以上のように、本実施の形態６によれば、「ＴＳ＿ＩＤ」「ネットワークＩＤ」「サービスＩＤ」［予約日時情報］［Ｄｕｒａｔｉｏｎ］を引数とする〈Ｓｅｔ  Ｔｉｍｅｒ  Ｅｘ〉というメッセージによって、実施の形態５と同様の効果を得ることができる。すなわち、実施の形態５では、二つのメッセージをＴＶ２０１からＤＶＤレコーダ１０１に送信するが、本実施の形態６では、この二つのメッセージを一括してＴＶ２０１からＤＶＤレコーダ１０１に送信することが可能である。【００７２】  なお、ここでは、「ＴＳ＿ＩＤ」「ネットワークＩＤ」「サービスＩＤ」［予約日時情報］［Ｄｕｒａｔｉｏｎ］を引数とする〈Ｓｅｔ  Ｔｉｍｅｒ  Ｅｘ〉というメッセージを例に挙げたが、メッセージの形式は本実施の形態に挙げたものにとどまらない。すなわち、「ＴＳ＿ＩＤ」「ネットワークＩＤ」「サービスＩＤ」によって指定されたサービスを選局して録画予約を指示するメッセージであれば、同様の効果を得ることができる。【００７３】  なお、ここでは、〈Ｓｅｔ  Ｔｉ��ｅｒ〉メッセージや〈Ｓｅｔ  Ｔｉｍｅｒ  Ｅｘ〉メッセージの引数として「予約日時情報」と「Ｄｕｒａｔｉｏｎ」とを例示したが、本発明はこれに限定されるものではない。すなわち、これらメッセージの引数として「録画開始時刻」と「録画終了時刻」とを採用しても、同様の効果を得ることができる。【００７４】  なお、実施の形態におけるチューナ２０２は、本発明に係る放送受信手段の一例である。実施の形態におけるＴＳデコーダ２０３は、本発明に係る抽出手段の一例である。実施の形態における制御部２０５は、本発明に係る特定手段の一例である。実施の形態におけるコマンド入出力Ｉ／Ｆ２１０は、本発明に係る送信手段の一例である。実施の形態におけるメモリ２０６は、本発明に係る記憶手段の一例である。実施の形態におけるコマンド入出力Ｉ／Ｆ１１０は、本発明に係る受信手段の一例である。実施の形態におけるチューナ１０３は、本発明に係る選局手段の一例である。実施の形態における記録再生部１０５は、本発明に係る記録手段の一例である。
【産業上の利用可能性】
【００７５】  本発明は、デジタルテレビジョン放送及び／又はラジオ放送の受信のために必要とされる簡単なプログラミングを可能とすることが必要な、ＴＶやＳＴＢ（Ｓｅｔ  Ｔｏｐ  Ｂｏｘ）に適用することができる。
【図１】
2007026662.tif 000003
【図２】
2007026662.tif 000004
【図３】
2007026662.tif 000005
【図４】
2007026662.tif 000006
【図５】
2007026662.tif 000007
【図６】
2007026662.tif 000008
【図７】
2007026662.tif 000009
【図８】
2007026662.tif 000010
【図９】
2007026662.tif 000011
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
デジタル放送受信装置であって、
デジタル放送を受信する放送受信手段と、
受信された前記デジタル放送からサービス記述テーブルを抽出する抽出手段と、
抽出された前記サービス記述テーブルからトランスポートストリーム識別情報とネットワーク識別情報とサービス識別情報とをストリーム特定情報として特定する特定手段と、
特定された前記ストリーム特定情報と録画命令とを録画装置に送信する送信手段と
を備えることを特徴とするデジタル放送受信装置。
【請求項２】
前記デジタル放送受信装置は、さらに、前記トランスポートストリーム識別情報と前記ネットワーク識別情報と前記サービス識別情報とをプリセット識別情報と対応付けた表であるプリセット対応表を記憶する記憶手段を備え、
前記送信手段は、記憶された前記プリセット対応表と前記プリセット識別情報とを送信する
ことを特徴とする請求項１に記載のデジタル放送受信装置。
【請求項３】
前記送信手段は、前記ストリーム特定情報を選局命令の引数として送信した後、現在選局しているサービスをそのまま録画する旨の前記録画命令を送信する
ことを特徴とする請求項１に記載のデジタル放送受信装置。
【請求項４】
前記送信手段は、前記ストリーム特定情報を前記録画命令の引数として送信する
ことを特徴とする請求項１に記載のデジタル放送受信装置。
【請求項５】
前記特定手段は、前記ストリーム特定情報として、当該デジタル放送受信装置において視聴中のサービスに相当する情報を特定する
ことを特徴とする請求項１に記載のデジタル放送受信装置。
【請求項６】
前記特定手段は、前記ストリーム特定情報として、録画予約対象のサービスに相当する情報を特定する
ことを特徴とする請求項１に記載のデジタル放送受信装置。
【請求項７】
デジタル放送受信方法であって、
デジタル放送を受信し、
受信された前記デジタル放送からサービス記述テーブルを抽出し、
抽出された前記サービス記述テーブルからトランスポートストリーム識別情報とネットワーク識別情報とサービス識別情報とをストリーム特定情報として特定し、
特定された前記ストリーム特定情報と録画命令とを録画装置に送信する
ことを特徴とするデジタル放送受信方法。
【請求項８】
デジタル放送受信システムであって、
デジタル放送受信装置は、
デジタル放送を受信する放送受信手段と、
受信された前記デジタル放送からサービス記述テーブルを抽出する抽出手段と、
抽出された前記サービス記述テーブルからトランスポートストリーム識別情報とネットワーク識別情報とサービス識別情報とをストリーム特定情報として特定する特定手段と、
特定された前記ストリーム特定情報と録画命令とを送信する送信手段と
を備え、
録画装置は、
前記デジタル放送受信装置の前記送信手段によって送信された前記ストリーム特定情報と前記録画命令とを受信する受信手段と、
受信された前記ストリーム特定情報に基づいて前記デジタル放送からサービスを選局する選局手段と、
受信された前記録画命令に基づいて、選局された前記サービスを記録する記録手段と
を備える
ことを特徴とするデジタル放送受信システム。
【請求項９】
前記放送受信手段は、受信された前記デジタル放送をＭＰＥＧ２−ＴＳの形式に変換する
ことを特徴とする請求項１に記載のデジタル放送受信装置。
【請求項１０】
前記デジタル放送受信装置は、ＴＶまたはＳＴＢ（Set Top Box）であり、前記録画装置はＤＶＤレコーダである
ことを特徴とする請求項８に記載のデジタル放送受信システム。
【請求項１１】
デジタル放送データを録画するデジタル放送録画装置であって、
デジタル放送データを受信する放送受信手段と、
外部装置から送信された、トランスポートストリーム識別情報、ネットワーク識別情報、およびサービス識別情報とを含むストリーム特定情報ならびに録画命令を受信する受信手段と、
前記受信手段により受信された前記ストリーム特定情報に基づいて、前記放送受信手段によって受信された前記デジタル放送データからサービスを選局する選局手段と、
前記受信手段により受信された前記録画命令に基づいて、前記選局手段により選局された前記サービスを記録する記録手段と
を備えることを特徴とするデジタル放送録画装置。
【請求項１２】
前記デジタル放送録画装置は、ＤＶＤレコーダである
ことを特徴とする請求項１１に記載のデジタル放送録画装置。
【請求項１３】
前記放送受信手段は、受信された前記デジタル放送をＭＰＥＧ２−ＴＳの形式に変換する
ことを特徴とする請求項１１に記載のデジタル放送録画装置。
【手続補正２】
【補正対象書類名】明細書
【補正対象項目名】全文
【補正方法】変更
【補正の内容】
【発明の詳細な説明】
【技術分野】
【０００１】
本発明は、テレビジョン放送及び／又はラジオ放送の受信に必要な同調データ（チャネル、周波数等）を用いてＡＶ機器をプログラミングするための技術に関する。
【背景技術】
【０００２】
例えば、特許文献１には、オーデイオ機器またはビデオ機器のプログラミング方法が開示されている。このプログラミング方法では、既にプログラミングされているＡＶ機器のプログラムメモリから、同調データとプログラム番号又はプログラム識別子との対応付け情報を読み出す。ここでいう同調データとは、テレビジョン放送及び／又はラジオ放送の受信に必要な同調データであって、具体的にはチャネルや周波数等である。このように読み出された対応付け情報は、既にプログラミングされているＡＶ機器からプログラミングすべきＡＶ機器へ無線または有線を通じて伝送される。伝送された情報は、プログラミングすべきＡＶ機器のプログラムメモリに記憶される。
【０００３】
特許文献１に開示される技術によると、使用者は、同調データを用いてＡＶ機器を簡単にプログラミングすることが可能となる。例えば、ラジオまたはテレビジョンとビデオレコーダとで、プログラム番号と周波数またはチャネルとの割り当てが異なる場合がある。この場合は、録画や録画予約の指示において誤操作が発生することがある。しかし、特許文献１に開示される技術を用いれば、それぞれのプログラム番号と周波数またはチャネルとの割り当てを合わせることができるので、上記した誤操作を防ぐことが可能となる。
【０００４】
また、非特許文献１の仕様書には、特許文献１に開示されるプログラム番号と周波数またはチャネルとの割り当てを合わせるフィーチャー（Ｐｒｅｓｅｔ  Ｄｏｗｎｌｏａｄ）に加えて、今テレビジョンで見ている番組のプログラム番号を指定して録画装置に録画を要求するフィーチャー（Ｏｎｅ  Ｔｏｕｃｈ  Ｒｅｃｏｒｄ）が記載されている。すなわち、Ｐｒｅｓｅｔ  Ｄｏｗｎｌｏａｄによって、プログラム番号と周波数またはチャネルとの割り当てが合っている状態にする。この状態で、録画して欲しい番組のプログラム番号を指定する。これによって、使用者は、テレビジョン（以下「ＴＶ」という場合がある）と同じＣｈ（プログラム番号）に合わせる操作や、録画ボタンを押すといった操作を録画装置に対して行なう必要なくなるという効果がある。
【特許文献１】特許第２７５８１７４号公報
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．１  （Ｍａｙ  ２０，  ２００４）
【発明の開示】
【発明が解決しようとする課題】
【０００５】
しかしながら、特許文献１に開示される技術は、従来の周波数やチャネル番号に基づくアナログ放送に対する技術である。すなわち、ＭＰＥＧ２−ＴＳなどの技術を用いた衛星・地上波デジタル放送に対しては、特許文献１に開示される技術のみでは、プログラム内容を表現できず、簡単なプログラミングを実現することができないという問題点がある。例えば、特許文献１に開示される技術のみでは、非特許文献１に開示されるＯｎｅ  Ｔｏｕｃｈ  Ｐｌａｙのようなフィーチャーを実現することはできない。
【０００６】
本発明は、このような問題点を鑑みてなされたものであって、デジタルテレビジョン放送及び／又はラジオ放送の受信のために必要とされる簡単なプログラミングを可能とするデジタル放送受信装置を提供することを目的とする。
【課題を解決するための手段】
【０００７】
上記課題を解決し上記目的を達成するために、本発明に係るデジタル放送受信装置は、デジタル放送を受信するデジタル放送受信装置であって、デジタル放送を受信する放送受信手段と、受信された前記デジタル放送からサービス記述テーブルを抽出する抽出手段と、抽出された前記サービス記述テーブルからトランスポートストリーム識別情報とネットワーク識別情報とサービス識別情報とをストリーム特定情報として特定する特定手段と、特定された前記ストリーム特定情報と録画命令とを録画装置に送信する送信手段とを備える。これによって、ストリーム特定情報と録画命令とがデジタル放送受信装置から録画装置に送信され、デジタルテレビジョン放送及び／又はラジオ放送の受信のために必要とされる簡単なプログラミングが可能となる。
【０００８】
ここで、前記デジタル放送受信装置は、さらに、前記トランスポートストリーム識別情報と前記ネットワーク識別情報と前記サービス識別情報とをプリセット識別情報と対応付けた表であるプリセット対応表を記憶する記憶手段を備え、前記送信手段は、前記ストリーム特定情報に代えて、記憶された前記プリセット対応表と前記プリセット識別情報とを送信してもよい。これによって、録画装置は、プリセット識別情報に基づいてプリセット対応表を参照すれば、トランスポートストリーム識別情報とネットワーク識別情報とサービス識別情報とを特定することができる。
【０００９】
また、前記送信手段は、前記ストリーム特定情報を選局命令の引数として送信した後、現在選局しているサービスをそのまま録画する旨の前記録画命令を送信してもよい。これによって、ストリーム特定情報がデジタル放送受信装置から録画装置に送信されるので、プリセット対応表をデジタル放送受信装置から録画装置に送信する必要がなくなる。
【００１０】
また、前記送信手段は、前記ストリーム特定情報を前記録画命令の引数として送信してもよい。これによって、ストリーム特定情報がデジタル放送受信装置から録画装置に送信されるので、プリセット対応表をデジタル放送受信装置から録画装置に送信する必要がなくなる。
【００１１】
また、前記特定手段は、前記ストリーム特定情報として、当該デジタル放送受信装置において視聴中のサービスに相当する情報を特定してもよい。これによって、デジタル放送受信装置で現在視聴中の番組を録画装置に録画させること（「Ｏｎｅ  Ｔｏｕｃｈ  Ｒｅｃｏｒｄ」を指示すること）が可能となる。
【００１２】
また、前記特定手段は、前記ストリーム特定情報として、録画予約対象のサービスに相当する情報を特定してもよい。これによって、デジタル放送受信装置から録画装置に「録画予約」を指示することが可能となる。
【００１３】
なお、本発明は、このようなデジタル放送受信装置として実現することができるだけでなく、このようなデジタル放送受信装置が備える特徴的な手段をステップとするデジタル放送受信方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１４】
以上のように、本発明によれば、デジタルテレビジョン放送及び／又はラジオ放送の受信のために必要とされる簡単なプログラミングが可能となる。たとえば、現在視聴中のＣｈ（サービス）を指すＭＰＥＧ２−ＴＳのＳＩ中の３つのＩＤ（Ｏｒｉｇｉｎａｌ＿Ｎｅｔｗｏｒｋ＿ＩＤ、ＴＳ＿ＩＤ、Ｓｅｒｖｉｃｅ＿ＩＤ）がＴＶからＤＶＤレコーダに送信され、その直後に録画命令がＴＶからＤＶＤレコーダに送信される。これによって、ＤＶＤレコーダに対して直接操作することなくＴＶのリモコンを操作するのみで、ＴＶで現在視聴中の番組をＤＶＤレコーダに録画させることが可能となる。言い換えると、デジタル放送に対して簡単なプログラミングやＯｎｅ  Ｔｏｕｃｈ  Ｒｅｃｏｒｄのようなフィーチャーを実現することが可能となる。また、デジタル放送においても各機器のプリセット番号と実際に見る／録画するＣｈとの対応を正しく取ることができるという効果もある。
【発明を実施するための最良の形態】
【００１５】
以下に、本発明の実施の形態を、図面を参照して説明する。
【００１６】
（実施の形態１）
以下、本発明の実施の形態１について、図１、図２、図３を用いて説明する。
【００１７】
図１は、ＤＶＤレコーダ１０１とＴＶ２０１の構成の一例を示す図である。図１に示されるように、ＤＶＤレコーダ１０１は、制御部１０２と、チューナ１０３と、ＴＳデコーダ１０４と、記録再生部１０５と、ＡＶデコーダ１０６と、ユーザ操作部１０７と、メモリ１０８と、データ出力Ｉ／Ｆ１０９と、コマンド入出力Ｉ／Ｆ１１０と、ＤＶＤ−ＲＡＭディスク１１１と、データ処理部１１２と、アンテナ１２１とを備えている。ＴＶ２０１は、チューナ２０２と、ＴＳデコーダ２０３と、ＡＶデコーダ２０４と、制御部２０５と、メモリ２０６と、データ処理部２０７と、ユーザ操作部２０８と、データ入力Ｉ／Ｆ２０９と、コマンド入出力Ｉ／Ｆ２１０と、画面２１１と、スピーカ２１２とを備えている。ＤＶＤレコーダ１０１のコマンド入出力Ｉ／Ｆ１１０とＴＶ２０１のコマンド入出力Ｉ／Ｆ２１０とはコマンド用ケーブル４０２によって接続されている。ＤＶＤレコーダ１０１のデータ出力Ｉ／Ｆ１０９とＴＶ２０１のデータ入力Ｉ／Ｆ２０９とはデータ用ケーブル４０１によって接続されている。
【００１８】
以降、同一番号がついたものは同一の構成および機能をもつものとする。
【００１９】
ＴＶ２０１は、本発明に係るデジタル放送受信装置の一例であり、ＤＶＤレコーダ１０１は、本発明に係る録画装置の一例である。ＴＶ２０１およびＤＶＤレコーダ１０１は、それぞれアンテナ１２１とチューナ２０２および２０２とによってデジタル放送データを受信する。受信・復調されたデジタル放送データはＭＰＥＧ２−ＴＳの形式となり、ＴＳデコーダ１０４および２０３に送られる。
【００２０】
図２は、デジタル放送で用いられるＭＰＥＧ２−ＴＳ（Moving Picture Experts Group 2 - Transport Stream）中のＳＤＴ（Service Description Table）の例を示す図である。
【００２１】
ＳＤＴの構造そのもの、ＰＡＴ（Program Association Table）やＰＭＴ（Program Map Table）中の情報を用いてＭＰＥＧ２−ＴＳからＳＤＴを発見する方法、ＳＤＴ中の内容を解析する方法そのものは公知である。すなわち、すでに欧州や日本のデジタルＴＶにおいて規格化され、対応するＴＳデコーダ回路・ＬＳＩ・ソフトウェアなどが存在する。
【００２２】
本実施の形態では、ＴＶ２０１のＴＳデコーダ２０３によってＳＤＴが抽出される。これによって、画面２１１およびユーザ操作部２０８を通じて、サービス情報（アナログ放送におけるＣｈ一覧に相当）やＥＰＧなどの一覧を使用者に提示することができる。使用者がユーザ操作部２０８を通じてサービスを選択すると、そのサービスに対応するデジタルＡＶデータがＴＳデコーダ２０３によって抽出される。抽出されたデジタルＡＶデータは、ＡＶデコーダ２０４によって映像・音声にデコードされ、画面２１１・スピーカ２１２から出力される。ＤＶＤレコーダ１０１のＴＳデコーダ１０４においても同様の処理が行われる。
【００２３】
図３は、実施の形態１におけるプリセット対応表の例を示す図である。ＴＶ２０１の制御部２０５は、ＥＰＧなどのサービス一覧を画面２１１に表示するため、ＴＳデコーダ２０３から得られるＳＤＴ情報を元にプリセット対応表を作成してメモリ２０６に保持する。プリセット対応表は、図３に示されるように、「プリセット番号（プリセット識別情報）」と「ＴＳ＿ＩＤ」と「ネットワークＩＤ」と「サービスＩＤ」とを対応付けた表である。すなわち、ＴＶ２０１の制御部２０５は、ＳＤＴ中の「トランスポートストリーム識別」情報を「ＴＳ＿ＩＤ」として、ＳＤＴ中の「オリジナルネットワーク識別」情報を「ネットワークＩＤ」として、ＳＤＴ中の「サービス識別」情報を「サービスＩＤ」として、対応するサービス（Ｃｈ）番号とともにメモリ２０６に保持する。
【００２４】
ＤＶＤレコーダ１０１をＴＶ２０１に接続すると、ＴＶ２０１とＤＶＤレコーダ１０１とは、コマンド用ケーブル４０２を通じて機器の情報を交換する。ＴＶ２０１の制御部２０５は、プリセット対応表を送信すべきか否かを判断する。プリセット対応表を送信すべきか否かは、コマンド用ケーブル４０２を通じて交換したバージョン情報や、ユーザ操作部２０８からのユーザ操作内容に基づいて判断することができる。
【００２５】
制御部２０５がプリセット対応表を送信する場合は、メモリ２０６に保持されたプリセット対応表（図３参照）が読み出される。読み出されたプリセット対応表は、予め決められたメッセージ形式にてコマンド入力Ｉ/Ｆ２１０からコマンド用ケーブル４０２を通じて送信される。本発明の内容はメッセージの形式には依らない。たとえば、プリセット対応表は、表の形式ではなく文字列形式で送信されてもよいし、所定のビット列に変換されたうえで送信されてもよい。また、図３に示される項目以外の情報（サービスの詳細を示す文字列など）をプリセット対応表に含めて送信するようにしてもよい。
【００２６】
ＤＶＤレコーダ１０１の制御部１０２は、プリセット対応表に関するメッセージをコマンド入力Ｉ/Ｆ１１０から受け取ると、メモリ２０６に保持されているのと同様の形式でそのプリセット対応表をメモリ１０８に保持する。この後、メモリ１０８に保持されたプリセット対応表は、ユーザ操作部１０７に提供するＥＰＧ情報として用いることができる。すなわち、ＤＶＤレコーダ１０１はＴＶ２０１と同様の内容のＥＰＧを生成することが可能となる。
【００２７】
図４は、実施の形態１におけるＤＶＤレコーダ１０１とＴＶ２０１との間のコマンドシーケンスの例を示す図である。
【００２８】
ＴＶ２０１は、デジタル放送のあるサービス（ここではＣｈ．１０８）を受信して画面２１１に出力している。このとき、ユーザがリモコンの「Ｏｎｅ  Ｔｏｕｃｈ  Ｒｅｃｏｒｄ」ボタンを押すと、その旨がユーザ操作部２０８から制御部２０５に通知される。制御部２０５は、現在視聴しているサービスを指定するメッセージをコマンド入力Ｉ/Ｆ２１０を介してＤＶＤレコーダ１０１に送信する（Ｓｔｅｐ２０４１）。現在視聴しているサービスを指定するメッセージとは、本実施の形態では、「プリセット番号」を引数とする＜Ｐｒｅｓｅｔ  Ｄｉｇｉｔａｌ  Ｔｕｎｅｒ＞というメッセージである。このメッセージは、プリセット対応表を送信するためのメッセージであり、引数で表現されるサービスを選局するようにＤＶＤレコーダ１０１に指示するメッセージである。
【００２９】
ＤＶＤレコーダ１０１の制御部１０２は、＜Ｐｒｅｓｅｔ  Ｄｉｇｉｔａｌ  Ｔｕｎｅｒ＞メッセージをコマンド入力Ｉ/Ｆ１１０から受け取ると、プリセット対応表をメモリ１０８に保持する。そして、プリセット対応表を参照することによって、受け取ったメッセージの引数である「プリセット番号」に対応する「ＴＳ＿ＩＤ」「ネットワークＩＤ」「サービスＩＤ」を特定する。そして、ユーザ操作部１０７のＥＰＧで選択されたサービスと同様、特定した「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。
【００３０】
この直後、ＴＶ２０１の制御部２０５は、<Ｒｅｃｏｒｄ Ｏｎ> [Ｏｗｎ Ｓｏｕｒｃｅ]というメッセージをコマンド入力Ｉ/Ｆ２１０を通してＤＶＤレコーダ１０１に送信する（Ｓｔｅｐ２０４２）。このメッセージは、非特許文献１に開示されているもので、ＤＶＤレコーダ１０１が現在選局している入力またはサービスをそのまま記録するように指示するものである。
【００３１】
ＤＶＤレコーダ１０１の制御部１０２は、<Ｒｅｃｏｒｄ Ｏｎ> [Ｏｗｎ Ｓｏｕｒｃｅ]というメッセージをコマンド入力Ｉ/Ｆ１１０から受け取ると、記録再生部１０５に記録を指示する。これによって、記録再生部１０５が記録を開始すると（Ｓｔｅｐ２０１３）、<Ｒｅｃｏｒｄ Ｏｎ> [Ｏｗｎ Ｓｏｕｒｃｅ]というメッセージの指示内容である「現在選局している入力またはサービスをそのまま記録する」ことが実現されることになり、＜Ｒｅｃｏｒｄ Ｓｔａｔｕｓ＞  ［Ｒｅｃｏｒｄ Ｓｔａｔｕｓ Ｉｎｆｏ］というメッセージがＤＶＤレコーダ１０１からＴＶ２０１に送信される（Ｓｔｅｐ２０１４）。
【００３２】
以上のように、本実施の形態１によれば、デジタルテレビジョン放局及び／又はラジオ放送の受信のために必要とされる簡単なプログラミングが可能となる。すなわち、現在視聴中のＣｈ（サービス）を指すＭＰＥＧ２−ＴＳのＳＩ中の３つのＩＤ（Ｏｒｉｇｉｎａｌ＿Ｎｅｔｗｏｒｋ＿ＩＤ、ＴＳ＿ＩＤ、Ｓｅｒｖｉｃｅ＿ＩＤ）がＴＶ２０１からＤＶＤレコーダ１０１に送信され、その直後に録画命令がＴＶ２０１からＤＶＤレコーダ１０１に送信される。これによって、ＤＶＤレコーダ１０１に対して直接操作することなくＴＶ２０１のリモコンを操作するのみで、ＴＶ２０１で現在視聴中の番組をＤＶＤレコーダ１０１に録画させることが可能となる。言い換えると、デジタル放送に対して簡単なプログラミングやＯｎｅ  Ｔｏｕｃｈ  Ｐｌａｙのようなフィーチャーを実現することが可能となる。また、デジタル放送においても各機器のプリセット番号と実際に見る／録画するＣｈとの対応を正しく取ることができるという効果もある。
【００３３】
なお、ここでは、「プリセット番号」を引数とする＜Ｐｒｅｓｅｔ  Ｄｉｇｉｔａｌ  Ｔｕｎｅｒ＞というメッセージを例に挙げたが、メッセージの形式は本実施の形態に挙げたものにとどまらない。すなわち、プリセット対応表を送信するためのメッセージであり、引数で表現されるサービスを選局するようにＤＶＤレコーダ１０１に指示するメッセージであれば、同様の効果を得ることができる。
【００３４】
なお、ここでは、<Ｒｅｃｏｒｄ Ｏｎ> [Ｏｗｎ Ｓｏｕｒｃｅ] というメッセージを例に挙げたが、メッセージの形式は本実施の形態に挙げたものにとどまらない。すなわち、ＤＶＤレコーダ１０１が現在選局している入力またはサービスをそのまま記録するように指示するメッセージであれば、同様の効果を得ることができる。
【００３５】
なお、非特許文献１に記載の<Ｒｅｃｏｒｄ Ｏｎ> [Ｏｗｎ Ｓｏｕｒｃｅ]というメッセージを例に挙げたが、本発明は、非特許文献１に記載のＨＤＭＩインターフェースに特化するものではない。すなわち、コマンド入出力を行う系を通じてデジタルチューナの選局を指定し、直後に録画開始を指示することができれば、ＨＤＭＩインターフェースを備えていなくても実現可能である。
【００３６】
（実施の形態２）
実施の形態１では、二つのメッセージをＴＶ２０１からＤＶＤレコーダ１０１に送信する形態について説明したが、本実施の形態２では、この二つのメッセージを一括してＴＶ２０１からＤＶＤレコーダ１０１に送信する形態について説明する。
【００３７】
図５は、実施の形態２におけるＤＶＤレコーダ１０１とＴＶ２０１との間のコマンドシーケンスの例を示す図である。装置の構成は実施の形態１と同じ図１を用いる。
【００３８】
ＴＶ２０１は、デジタル放送のあるサービス（ここではＣｈ．１０８）を受信して画面２１１に出力している。このとき、ユーザがリモコンの「Ｏｎｅ  Ｔｏｕｃｈ  Ｒｅｃｏｒｄ」ボタンを押すと、その旨がユーザ操作部２０８から制御部２０５に通知される。制御部２０５は、現在視聴しているサービスを指定するメッセージをコマンド入力Ｉ/Ｆ２１０を介してＤＶＤレコーダ１０１に送信する（Ｓｔｅｐ２０５１）。現在視聴しているサービスを指定するメッセージとは、本実施の形態では、「プリセット番号」を引数とする<Ｒｅｃｏｒｄ Ｏｎ  Ｅｘ>というメッセージである。このメッセージは、プリセット対応表を送信するためのメッセージであり、引数で表現されるサービスを選局して記録するようにＤＶＤレコーダ１０１に指示するメッセージである。
【００３９】
ＤＶＤレコーダ１０１の制御部１０２は、<Ｒｅｃｏｒｄ Ｏｎ  Ｅｘ>メッセージをコマンド入力Ｉ/Ｆ１１０から受け取ると、プリセット対応表をメモリ１０８に保持する。そして、プリセット対応表を参照することによって、受け取ったメッセージの引数である「プリセット番号」に対応する「ＴＳ＿ＩＤ」「ネットワークＩＤ」「サービスＩＤ」を特定する。そして、ユーザ操作部１０７のＥＰＧで選択されたサービスと同様、特定した「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。ＤＶＤレコーダ１０１の制御部１０２は、さらに、記録再生部１０５に記録を指示する。記録再生部１０５が記録を開始すると（Ｓｔｅｐ２０１３）、<Ｒｅｃｏｒｄ Ｏｎ  Ｅｘ>メッセージの指示内容である「引数で表現されるサービスを選局して記録する」ことが実現されることになり、＜Ｒｅｃｏｒｄ Ｓｔａｔｕｓ Ｅｘ＞  ［Ｒｅｃｏｒｄ Ｓｔａｔｕｓ Ｉｎｆｏ］というメッセージがＤＶＤレコーダ１０１からＴＶ２０１に送信される（Ｓｔｅｐ２０１４）。
【００４０】
以上のように、本実施の形態２によれば、「プリセット番号」を引数とする<Ｒｅｃｏｒｄ Ｏｎ  Ｅｘ>というメッセージによって、実施の形態１と同様の効果を得ることができる。すなわち、実施の形態１では、二つのメッセージをＴＶ２０１からＤＶＤレコーダ１０１に送信するが、本実施の形態２では、この二つのメッセージを一括してＴＶ２０１からＤＶＤレコーダ１０１に送信することが可能である。
【００４１】
なお、ここでは、「プリセット番号」を引数とする<Ｒｅｃｏｒｄ Ｏｎ  Ｅｘ>というメッセージを例に挙げたが、メッセージの形式は本実施の形態に挙げたものにとどまらない。すなわち、プリセット対応表を送信するためのメッセージであり、引数で表現されるサービスを選局して記録するようにＤＶＤレコーダ１０１に指示するメッセージであれば、同様の効果を得ることができる。
【００４２】
（実施の形態３）
実施の形態１では、ＴＶ２０１からＤＶＤレコーダ１０１にプリセット対応表を送信する形態について説明したが、本実施の形態３では、ＴＶ２０１からＤＶＤレコーダ１０１にプリセット対応表を送信しない形態について説明する。
【００４３】
図６は、実施の形態３におけるＤＶＤレコーダ１０１とＴＶ２０１との間のコマンドシーケンスの例を示す図である。装置の構成は実施の形態１と同じ図１を用いる。
【００４４】
ＴＶ２０１は、デジタル放送のあるサービス（ここではＣｈ．１０８）を受信して画面２１１に出力している。このとき、ユーザがリモコンの「Ｏｎｅ  Ｔｏｕｃｈ  Ｒｅｃｏｒｄ」ボタンを押すと、その旨がユーザ操作部２０８から制御部２０５に通知される。制御部２０５は、現在視聴しているサービスを指定するメッセージをコマンド入力Ｉ/Ｆ２１０を介してＤＶＤレコーダ１０１に送信する（Ｓｔｅｐ２０２１）。現在視聴しているサービスを指定するメッセージとは、本実施の形態では、「ＴＳ＿ＩＤ」「ネットワークＩＤ」「サービスＩＤ」を引数とする＜Ｓｅｔ  Ｄｉｇｉｔａｌ  Ｔｕｎｅｒ＞というメッセージである。
【００４５】
ＤＶＤレコーダ１０１の制御部１０２は、＜Ｓｅｔ  Ｄｉｇｉｔａｌ  Ｔｕｎｅｒ＞メッセージをコマンド入力Ｉ/Ｆ１１０から受け取る。そして、ユーザ操作部１０７のＥＰＧで選択されたサービスと同様、受け取ったメッセージの引数である「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。
【００４６】
この直後、ＴＶ２０１の制御部２０５は、<Ｒｅｃｏｒｄ Ｏｎ> [Ｏｗｎ Ｓｏｕｒｃｅ]というメッセージをコマンド入力Ｉ/Ｆ２１０を通してＤＶＤレコーダ１０１に送信する（Ｓｔｅｐ２０２２）。このメッセージは、非特許文献１に開示されているもので、ＤＶＤレコーダ１０１が現在選局している入力またはサービスをそのまま記録するように指示するものである。
【００４７】
ＤＶＤレコーダ１０１の制御部１０２は、<Ｒｅｃｏｒｄ Ｏｎ> [Ｏｗｎ Ｓｏｕｒｃｅ]というメッセージをコマンド入力Ｉ/Ｆ１１０から受け取ると、記録再生部１０５に記録を指示する。これによって、記録再生部１０５が記録を開始すると（Ｓｔｅｐ２０１３）、<Ｒｅｃｏｒｄ Ｏｎ> [Ｏｗｎ Ｓｏｕｒｃｅ]というメッセージの指示内容である「現在選局している入力またはサービスをそのまま記録する」ことが実現されることになり、＜Ｒｅｃｏｒｄ Ｓｔａｔｕｓ＞［Ｒｅｃｏｒｄ Ｓｔａｔｕｓ Ｉｎｆｏ］というメッセージがＤＶＤレコーダ１０１からＴＶ２０１に送信される（Ｓｔｅｐ２０１４）。
【００４８】
以上のように、本実施の形態３によれば、ＴＶ２０１からＤＶＤレコーダ１０１にプリセット対応表を送信しなくても、実施の形態１と同様の効果を得ることができる。すなわち、前記した二つのメッセージの組み合わせによって、ＴＶ２０１はＤＶＤレコーダ１０１に対して、現在ＴＶ２０１で視聴中の内容をＤＶＤレコーダ１０１のリモコンを操作することなく録画させることができる。
【００４９】
なお、ここでは、「ＴＳ＿ＩＤ」「ネットワークＩＤ」「サービスＩＤ」を引数とする＜Ｓｅｔ  Ｄｉｇｉｔａｌ  Ｔｕｎｅｒ＞というメッセージを例に挙げたが、メッセージの形式は本実施の形態に挙げたものにとどまらない。すなわち、「ＴＳ＿ＩＤ」「ネットワークＩＤ」「サービスＩＤ」によって指定されたサービスを選局するようにＤＶＤレコーダ１０１に指示するメッセージであれば、同様の効果を得ることができる。
【００５０】
なお、ここでは、<Ｒｅｃｏｒｄ Ｏｎ> [Ｏｗｎ Ｓｏｕｒｃｅ] というメッセージを例に挙げたが、メッセージの形式は本実施の形態に挙げたものにとどまらない。すなわち、ＤＶＤレコーダ１０１が現在選局している入力またはサービスをそのまま記録するように指示するメッセージであれば、同様の効果を得ることができる。
【００５１】
（実施の形態４）
実施の形態３では、二つのメッセージをＴＶ２０１からＤＶＤレコーダ１０１に送信する形態について説明したが、本実施の形態４では、この二つのメッセージを一括してＴＶ２０１からＤＶＤレコーダ１０１に送信する形態について説明する。
【００５２】
図７は、実施の形態４におけるＤＶＤレコーダ１０１とＴＶ２０１との間のコマンドシーケンスの例を示す図である。装置の構成は実施の形態１と同じ図１を用いる。
【００５３】
ＴＶ２０１は、デジタル放送のあるサービス（ここではＣｈ．１０８）を受信して画面２１１に出力している。このとき、ユーザがリモコンの「Ｏｎｅ  Ｔｏｕｃｈ  Ｒｅｃｏｒｄ」ボタンを押すと、その旨がユーザ操作部２０８から制御部２０５に通知される。制御部２０５は、現在視聴しているサービスを指定するメッセージをコマンド入力Ｉ/Ｆ２１０を介してＤＶＤレコーダ１０１に送信する（Ｓｔｅｐ２０３１）。現在視聴しているサービスを指定するメッセージとは、本実施の形態では、「ＴＳ＿ＩＤ」「ネットワークＩＤ」「サービスＩＤ」を引数とする<Ｒｅｃｏｒｄ Ｏｎ  Ｅｘ>というメッセージである。このメッセージは、引数で表現されるサービスを選局して記録するようにＤＶＤレコーダ１０１に指示するメッセージである。
【００５４】
ＤＶＤレコーダ１０１の制御部１０２は、<Ｒｅｃｏｒｄ Ｏｎ  Ｅｘ>メッセージをコマンド入力Ｉ/Ｆ１１０から受け取る。そして、ユーザ操作部１０７のＥＰＧで選択されたサービスと同様、受け取ったメッセージの引数である「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。ＤＶＤレコーダ１０１の制御部１０２は、さらに、記録再生部１０５に記録を指示する。記録再生部１０５が記録を開始すると（Ｓｔｅｐ２０１３）、<Ｒｅｃｏｒｄ Ｏｎ  Ｅｘ>メッセージの指示内容である「引数で表現されるサービスを選局して記録する」ことが実現されることになり、＜Ｒｅｃｏｒｄ Ｓｔａｔｕｓ Ｅｘ＞  ［Ｒｅｃｏｒｄ Ｓｔａｔｕｓ Ｉｎｆｏ］というメッセージがＤＶＤレコーダ１０１からＴＶ２０１に送信される（Ｓｔｅｐ２０１４）。
【００５５】
以上のように、本実施の形態４によれば、「ＴＳ＿ＩＤ」「ネットワークＩＤ」「サービスＩＤ」を引数とする<Ｒｅｃｏｒｄ Ｏｎ  Ｅｘ>というメッセージによって、実施の形態３と同様の効果を得ることができる。すなわち、実施の形態３では、二つのメッセージをＴＶ２０１からＤＶＤレコーダ１０１に送信するが、本実施の形態４では、この二つのメッセージを一括してＴＶ２０１からＤＶＤレコーダ１０１に送信することが可能である。
【００５６】
なお、ここでは、「ＴＳ＿ＩＤ」「ネットワークＩＤ」「サービスＩＤ」を引数とする<Ｒｅｃｏｒｄ Ｏｎ  Ｅｘ>というメッセージを例に挙げたが、メッセージの形式は本実施の形態に挙げたものにとどまらない。すなわち、「ＴＳ＿ＩＤ」「ネットワークＩＤ」「サービスＩＤ」によって指定されたサービスを選局して記録するようにＤＶＤレコーダ１０１に指示するメッセージであれば、同様の効果を得ることができる。
【００５７】
（実施の形態５）
実施の形態１から４では、「Ｏｎｅ  Ｔｏｕｃｈ  Ｒｅｃｏｒｄ」が指示された場合の動作について説明したが、本実施の形態５では、「録画予約」が指示された場合の動作について説明する。
【００５８】
図８は、実施の形態５におけるＤＶＤレコーダ１０１とＴＶ２０１との間のコマンドシーケンスの例を示す図である。装置の構成は実施の形態１と同じ図１を用いる。
【００５９】
ＴＶ２０１は、録画予約するためのメニューを画面２１１に出力している。このとき、ユーザが必要な情報を入力した状態で「録画予約」を指示すると、その旨がユーザ操作部２０８から制御部２０５に通知される。制御部２０５は、録画予約されたサービスを指定するメッセージをコマンド入力Ｉ/Ｆ２１０を介してＤＶＤレコーダ１０１に送信する（Ｓｔｅｐ２０６１）。録画予約されたサービスを指定するメッセージとは、本実施の形態では、「ＴＳ＿ＩＤ」「ネットワークＩＤ」「サービスＩＤ」を引数とする＜Ｓｅｔ  Ｄｉｇｉｔａｌ  Ｔｕｎｅｒ＞というメッセージである。
【００６０】
ＤＶＤレコーダ１０１の制御部１０２は、＜Ｓｅｔ  Ｄｉｇｉｔａｌ  Ｔｕｎｅｒ＞メッセージをコマンド入力Ｉ/Ｆ１１０から受け取る。そして、ユーザ操作部１０７のＥＰＧで選択されたサービスと同様、受け取ったメッセージの引数である「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。
【００６１】
この直後、ＴＶ２０１の制御部２０５は、<Ｓｅｔ  Ｔｉｍｅｒ> [Ｏｗｎ Ｓｏｕｒｃｅ] [予約日時情報] [Ｄｕｒａｔｉｏｎ]というメッセージをコマンド入力Ｉ/Ｆ２１０を通してＤＶＤレコーダ１０１に送信する（Ｓｔｅｐ２０６２）。このメッセージは、ＤＶＤレコーダ１０１が現在選局している入力またはサービスについて録画予約を指示するものである。予約日時情報は、録画を開始する日時を示す情報であり、具体的には「日付」「時間」「分」である。Ｄｕｒａｔｉｏｎは、録画する時間を示す情報であり、具体的には「時間」「分」である。
【００６２】
ＤＶＤレコーダ１０１の制御部１０２は、<Ｓｅｔ  Ｔｉｍｅｒ> [Ｏｗｎ Ｓｏｕｒｃｅ] [予約日時情報] [Ｄｕｒａｔｉｏｎ]というメッセージをコマンド入力Ｉ/Ｆ１１０から受け取る。そして、予約日時情報によって示される日時になると、Ｄｕｒａｔｉｏｎによって示される時間の長さ分だけ、記録再生部１０５に記録を指示する。これによって、記録再生部１０５が記録を開始すると（Ｓｔｅｐ２０１３）、<Ｓｅｔ  Ｔｉｍｅｒ> [Ｏｗｎ Ｓｏｕｒｃｅ] [予約日時情報] [Ｄｕｒａｔｉｏｎ]というメッセージの指示内容である録画予約が実現されることになり、＜Ｔｉｍｅｒ Ｓｔａｔｕｓ＞  ［Ｔｉｍｅｒ Ｓｔａｔｕｓ Ｉｎｆｏ］というメッセージがＤＶＤレコーダ１０１からＴＶ２０１に送信される（Ｓｔｅｐ２０１４）。
【００６３】
以上のように、本実施の形態５によれば、<Ｓｅｔ  Ｔｉｍｅｒ>というメッセージによって、ＴＶ２０１からＤＶＤレコーダ１０１に「録画予約」を指示することが可能である。「Ｏｎｅ  Ｔｏｕｃｈ  Ｒｅｃｏｒｄ」であるか「録画予約」であるかという違いはあるものの、３つのＩＤ（Ｏｒｉｇｉｎａｌ＿Ｎｅｔｗｏｒｋ＿ＩＤ、ＴＳ＿ＩＤ、Ｓｅｒｖｉｃｅ＿ＩＤ）と録画命令とがＴＶ２０１からＤＶＤレコーダ１０１に送信される点は実施の形態１から４と同様である。
【００６４】
なお、ここでは、<Ｓｅｔ  Ｔｉｍｅｒ>というメッセージを例に挙げたが、メッセージの形式は本実施の形態に挙げたものにとどまらない。すなわち、録画予約されたサービスを選局して記録するようにＤＶＤレコーダ１０１に指示するメッセージであれば、同様の効果を得ることができる。
【００６５】
（実施の形態６）
実施の形態５では、二つのメッセージをＴＶ２０１からＤＶＤレコーダ１０１に送信する形態について説明したが、本実施の形態６では、この二つのメッセージを一括してＴＶ２０１からＤＶＤレコーダ１０１に送信する形態について説明する。
【００６６】
図９は、実施の形態６におけるＤＶＤレコーダ１０１とＴＶ２０１との間のコマンドシーケンスの例を示す図である。装置の構成は実施の形態１と同じ図１を用いる。
【００６７】
ＴＶ２０１は、録画予約するためのメニューを画面２１１に出力している。このとき、ユーザが必要な情報を入力した状態で「録画予約」を指示すると、その旨がユーザ操作部２０８から制御部２０５に通知される。制御部２０５は、録画予約されたサービスを指定するメッセージをコマンド入力Ｉ/Ｆ２１０を介してＤＶＤレコーダ１０１に送信する（Ｓｔｅｐ２０７１）。録画予約されたサービスを指定するメッセージとは、本実施の形態では、「ＴＳ＿ＩＤ」「ネットワークＩＤ」「サービスＩＤ」[予約日時情報] [Ｄｕｒａｔｉｏｎ]を引数とする<Ｓｅｔ  Ｔｉｍｅｒ  Ｅｘ>というメッセージである。このメッセージは、引数で表現されるサービスを選局して録画予約を指示するメッセージである。
【００６８】
ＤＶＤレコーダ１０１の制御部１０２は、<Ｓｅｔ  Ｔｉｍｅｒ  Ｅｘ>「ＴＳ＿ＩＤ」「ネットワークＩＤ」「サービスＩＤ」[予約日時情報] [Ｄｕｒａｔｉｏｎ]というメッセージをコマンド入力Ｉ/Ｆ１１０から受け取る。そして、予約日時情報によって示される日時になると、Ｄｕｒａｔｉｏｎによって示される時間の長さ分だけ、受け取ったメッセージの引数である「ＴＳ＿ＩＤ」「ネットワークＩＤ」「サービスＩＤ」によって指定されたサービスをＴＳデコーダ１０４に送る（Ｓｔｅｐ２０１１）。これによって、ＤＶＤレコーダ１０１はＴＶ２０１と同じサービスを選局する（Ｓｔｅｐ２０１２）。ＤＶＤレコーダ１０１の制御部１０２は、さらに、記録再生部１０５に記録を指示する。記録再生部１０５が記録を開始すると（Ｓｔｅｐ２０１３）、<Ｓｅｔ  Ｔｉｍｅｒ  Ｅｘ>メッセージの指示内容である録画予約が実現されることになり、＜Ｔｉｍｅｒ Ｓｔａｔｕｓ Ｅｘ＞  ［Ｔｉｍｅｒ Ｓｔａｔｕｓ Ｉｎｆｏ］というメッセージがＤＶＤレコーダ１０１からＴＶ２０１に送信される（Ｓｔｅｐ２０１４）。
【００６９】
以上のように、本実施の形態６によれば、「ＴＳ＿ＩＤ」「ネットワークＩＤ」「サービスＩＤ」[予約日時情報] [Ｄｕｒａｔｉｏｎ]を引数とする<Ｓｅｔ  Ｔｉｍｅｒ  Ｅｘ>というメッセージによって、実施の形態５と同様の効果を得ることができる。すなわち、実施の形態５では、二つのメッセージをＴＶ２０１からＤＶＤレコーダ１０１に送信するが、本実施の形態６では、この二つのメッセージを一括してＴＶ２０１からＤＶＤレコーダ１０１に送信することが可能である。
【００７０】
なお、ここでは、「ＴＳ＿ＩＤ」「ネットワークＩＤ」「サービスＩＤ」[予約日時情報] [Ｄｕｒａｔｉｏｎ]を引数とする<Ｓｅｔ  Ｔｉｍｅｒ  Ｅｘ>というメッセージを例に挙げたが、メッセージの形式は本実施の形態に挙げたものにとどまらない。すなわち、「ＴＳ＿ＩＤ」「ネットワークＩＤ」「サービスＩＤ」によって指定されたサービスを選局して録画予約を指示するメッセージであれば、同様の効果を得ることができる。
【００７１】
なお、ここでは、<Ｓｅｔ  Ｔｉｍｅｒ>メッセージや<Ｓｅｔ  Ｔｉｍｅｒ  Ｅｘ>メッセージの引数として「予約日時情報」と「Ｄｕｒａｔｉｏｎ」とを例示したが、本発明はこれに限定されるものではない。すなわち、これらメッセージの引数として「録画開始時刻」と「録画終了時刻」とを採用しても、同様の効果を得ることができる。
【００７２】
なお、実施の形態におけるチューナ２０２は、本発明に係る放送受信手段の一例である。実施の形態におけるＴＳデコーダ２０３は、本発明に係る抽出手段の一例である。実施の形態における制御部２０５は、本発明に係る特定手段の一例である。実施の形態におけるコマンド入出力Ｉ／Ｆ２１０は、本発明に係る送信手段の一例である。実施の形態におけるメモリ２０６は、本発明に係る記憶手段の一例である。実施の形態におけるコマンド入出力Ｉ／Ｆ１１０は、本発明に係る受信手段の一例である。実施の形態におけるチューナ１０３は、本発明に係る選局手段の一例である。実施の形態における記録再生部１０５は、本発明に係る記録手段の一例である。
【産業上の利用可能性】
【００７３】
産業上の利用例として、本発明は、デジタルテレビジョン放送及び／又はラジオ放送の受信のために必要とされる簡単なプログラミングを可能とすることが必要な、ＴＶやＳＴＢ（Set Top Box）に適用することができる。
【図面の簡単な説明】
【００７４】
【図１】図１は、ＤＶＤレコーダとＴＶの構成の一例を示す図である。
【図２】図２は、デジタル放送で用いられるＭＰＥＧ２−ＴＳ中のＳＤＴの例を示す図である。
【図３】図３は、実施の形態１におけるプリセット対応表の例を示す図である。
【図４】図４は、実施の形態１におけるＤＶＤレコーダとＴＶとの間のコマンドシーケンスの例を示す図である。
【図５】図５は、実施の形態２におけるＤＶＤレコーダとＴＶとの間のコマンドシーケンスの例を示す図である。
【図６】図６は、実施の形態３におけるＤＶＤレコーダとＴＶとの間のコマンドシーケンスの例を示す図である。
【図７】図７は、実施の形態４におけるＤＶＤレコーダとＴＶとの間のコマンドシーケンスの例を示す図である。
【図８】図８は、実施の形態５におけるＤＶＤレコーダとＴＶとの間のコマンドシーケンスの例を示す図である。
【図９】図９は、実施の形態６におけるＤＶＤレコーダとＴＶとの間のコマンドシーケンスの例を示す図である。
【符号の説明】
【００７５】
１０１  ＤＶＤレコーダ
１０２  制御部
１０３  チューナ
１０４  ＴＳデコーダ
１０５  記録再生部
１０６  ＡＶデコーダ
１０７  ユーザ操作部
１０９  データ出力Ｉ／Ｆ
１１０  コマンド入出力Ｉ／Ｆ
１１１  ＤＶＤ−ＲＡＭディスク
１１２  データ処理部
１２１  アンテナ
４０１  データ用ケーブル
４０２  コマンド用ケーブル
２０１  ＴＶ
２０２  チューナ
２０３  ＴＳデコーダ
２０４  ＡＶデコーダ
２０５  制御部
２０６  メモリ
２０７  データ処理部
２０８  ユーザ操作部
２０９  データ入力Ｉ／Ｆ
２１０  コマンド入出力Ｉ／Ｆ
２１１  画面
２１２  スピーカ
【手続補正３】
【補正対象書類名】図面
【補正対象項目名】全図
【補正方法】変更
【補正の内容】
【図１】
2007026662.tif 000012
【図２】
2007026662.tif 000013
【図３】
2007026662.tif 000014
【図４】
2007026662.tif 000015
【図５】
2007026662.tif 000016
【図６】
2007026662.tif 000017
【図７】
2007026662.tif 000018
【図８】
2007026662.tif 000019
【図９】
2007026662.tif 000020
【国際調査報告】
2007026662.tif 000021
2007026662.tif 000022
2007026662.tif 000023
2007026662.tif 000024
2007026662.tif 000025
2007026662.tif 000026